(57)【要約】【課題】  新たに装置を設置する必要がなく、安価に得ることができる視機能検査装置を提供する。【解決手段】  Freqency doubling illujonを応用して被検眼の視機能を検査する視機能検査装置において、視機能検査プログラムを記憶するとともに、このプログラムを実行し得られた検査データを解析処理するための汎用のパーソナルコンピュータと、パーソナルコンピュータに接続され所定の検査視標を呈示するためのディスプレイと、パーソナルコンピュータに接続されディスプレイに呈示された視標に対して応答を行い検査データを得るための応答手段と、を備える。【選択図】      図１
2006014766.tif 000002
【特許請求の範囲】
【請求項１】
Freqency doubling illujonを応用して被検眼の視機能を検査する視機能検査装置において、視機能検査プログラムを記憶するとともに該プログラムを実行し得られた検査データを解析処理するための汎用のパーソナルコンピュータと、該パーソナルコンピュータに接続され所定の検査視標を呈示するためのディスプレイと、前記パーソナルコンピュータに接続され前記ディスプレイに呈示された視標に対して応答を行い前記検査データを得るための応答手段と、を備えることを特徴とする視機能検査装置。
【請求項２】
請求項１の視機能検査装置は、さらに前記ディスプレイに装着され所定の検査距離を確保するためのスコープ部を備えることを特徴とする視機能検査装置。
【請求項３】
請求項２の視機能検査装置は、前記ディスプレイのサイズを選択するサイズ選択手段と、該サイズ選択手段にて選択したディスプレイサイズに応じて視標の呈示数を選択することのできる視標呈示数選択手段と、を備えることを特徴とする視機能検査装置。
【発明の詳細な説明】
【技術分野】
【０００１】
本発明は、被検眼の視機能の検査を行う視機能検査装置に関する
【背景技術】
【０００２】
従来、被検眼の視機能を検査し、緑内障等の早期発見、診断を行うための視野計と呼ばれる視機能検査装置が知られている。このような視野計においては、Freqency doubling illujonを応用した視野計が知られている。Freqency doubling illujonを応用した視野計は、低空間周波数の正弦格子縞を高時間周波数で振れさせてコントラスト感度を測定し、視機能の検査を行うものであり、従来のドーム状のスクリーンを備える視野計に比べ、高感度で短時間に検査することができるものである（特許文献１  参照）。
【特許文献１】特開平５−２０７９７５号公報
【発明の開示】
【発明が解決しようとする課題】
【０００３】
しかしながら、前述したFreqency doubling illujonを応用した視野計は、視野を測定するための専用装置であり、高価である。また、視野計を設置するスペースが必要となる。
上記従来技術の問題点に鑑み、新たに装置を設置する必要がなく、安価に得ることができる視機能検査装置を提供することを技術課題とする。
【課題を解決するための手段】
【０００４】
上記課題を解決するために、本発明は以下のような構成を備えることを特徴とする。
（１）  Freqency doubling illujonを応用して被検眼の視機能を検査する視機能検査装置において、視機能検査プログラムを記憶するとともに該プログラムを実行し得られた検査データを解析処理するための汎用のパーソナルコンピュータと、該パーソナルコンピュータに接続され所定の検査視標を呈示するためのディスプレイと、前記パーソナルコンピュータに接続され前記ディスプレイに呈示された視標に対して応答を行い前記検査データを得るための応答手段と、を備えることを特徴とする。
（２）  （１）の視機能検査装置は、さらに前記ディスプレイに装着され所定の検査距離を確保するためのスコープ部を備えることを特徴とする。
（３）  （２）の視機能検査装置は、前記ディスプレイのサイズを選択するサイズ選択手段と、該サイズ選択手段にて選択したディスプレイサイズに応じて視標の呈示数を選択することのできる視標呈示数選択手段と、を備えることを特徴とする。
【発明の効果】
【０００５】
本発明によれば、病院等に通常存在するパーソナルコンピュータを視機能検査装置として代替することができるため、安価に視機能検査装置を得ることができるとともに、新たに装置を設置する必要がない。
【発明を実施するための最良の形態】
【０００６】
以下、本発明の実施形態を図面に基づいて説明する。図１は本発明に係る視機能検査装置の外観略図であり、図２は視機能検査装置の制御系を示すブロック図である。
図１（ａ）に示すように本実施形態の視機能検査装置は、汎用のパーソナルコンピュータ１（以下、ＰＣと記す）と、スコープ部１０とから大別構成される。ＰＣ１は図示するように、本体２、ディスプレイ３、マウス４、キーボード５から構成されている。本体２は、図２に示すようにプログラムの実行や得られたデータを演算処理するためのＣＰＵや入出力回路等を有する制御部２０、本実施形態に用いる視野計測用のプログラムや検査データ（測定データ）を記憶する記憶部２１、ＣＤ-ROMやＤＶＤ-ROM等の記憶媒体に記憶された視野計測用のプログラムを読み出すための読み出し装置２２とから構成される。なお、視野計測用のプログラムは、ディスプレイ３上に低空間周波数の正弦格子縞を表示させ、この正弦格子縞を高時間周波数で振れさせて被検者のコントラスト感度を測定することにより、視機能（視野）の検査を行うプログラムであり、Freqency doubling illujonを応用しているものである。
また、図２に示すようにディスプレイ３、マウス４、キーボード５は本体２（制御部２０）に接続されている。なお、ディスプレイ３は、ＣＲＴ（ブラウン管）ディスプレイや液晶ディスプレイ等のＰＣに用いる汎用のディスプレイを用いることができる。
【０００７】
スコープ部１０は、内部が空洞となっている筒状の筐体であり、ＰＣ１に用いられる汎用のディスプレイ３に取り付けて使用される。スコープ部１０の基端側は、ディスプレイ３の外形と略同じ大きさの開口径を有するとともに、スコープ部１０とディスプレイ３とを接合（装着）するための接合手段１２を備える。接合手段１２は、ネジで締め付ける形式のものや、面ファスナ形式等、一般的な接合技術を用いることができる。また、スコープ部１０は、取り付けるディスプレイ３のサイズ（例えば１５インチ、１７インチ等）に応じて種々用意されていてもよいし、スコープ部１０の基端側の開口径をディスプレイ３の外形に合わせて変更できる機構を持たせるようにしてもよい。
【０００８】
スコープ部１０の先端側には、被検者が覗き込むための窓１１が設けられている。なお、スコープ部１０を図１（ｂ）に示すように、ディスプレイ３に接合させたとき、窓１１はディスプレイ３の画面中心と略一致する軸上に位置する。なお、窓１１は単に開口部のみでもよいし、保護ガラス等が装着されていてもよい。
また、スコープ部１０は、図１（ｂ）に示すように、ディスプレイ３に接合されることにより、視機能検査時における外乱光の遮蔽や、所定の検査距離の確保及び維持を行う役目を果たすこととなる。また、本実施形態におけるスコープ部１０の長さは、被検眼と視標呈示画面との間の検査距離を略３０ｃｍとするだけの長さを有している。なお、本実施形態における検査距離３０ｃｍは、従来使用されている視野計と同じ検査距離とするためのものであるが、これに限るものではなく、所定の検査距離が確保できればよい。また、本実施形態におけるスコープ部１０は、前述したように外乱光の遮蔽や所定の検査距離の確保をするために用いているが、外乱光を考慮しなくてもよい環境（例えば暗室等）で、被検眼と検査画面との距離を一定に保つことができるようであれば、特に用いる必要はない。
【０００９】
以上のような構成を備える視機能検査装置において、その動作について説明する。先ず、装置の動作説明の前に、Freqency doubling illujonを応用した視野計測方法を、図３及び図４を用いて説明する。この視野計測方法では、低空間周波数（例えば、0.25Hz／度）の白黒の正弦波縞模様（図３（ａ）参照）と逆位相の縞模様（図３（ｂ）参照）を、高時間周波数（例えば、２５Ｈｚ／秒）で交互に呈示していく。言い換えると、所定時間ごとに白黒の縞模様を交互に反転させる。所定時間ごとに白黒の縞模様が反転すると、縞の数が実際の２倍に見える現象（Freqency doubling illujon）が生じる。視野に異常がある場合には、その異常部位では、縞の数が実際の２倍には見えず、縞模様がなく一様に見えることとなる。したがって、その異常部位において２倍の縞の数の模様を見るには、格子縞のコントラストレベルは、正常レベルよりも高いコントラストが必要となるため、このコントラストの閾値を調べることにより、異常部位の同定をすることができる。
【００１０】
検査範囲は、例えば図４（ａ）に示すように、ディスプレイ３の検査画面１００に、縦横１０°からなる区画１０１を４×４の１６区画と、さらに中心半径５°区画１０２を加えた計１７区画が用意され、各区画に対応して前述した縞模様の視標が各々呈示されることとなる。なお、本実施の形態では、この視標呈示に汎用品のディスプレイ３を用いることができるため、ディスプレイ３のサイズ（例えば１５インチ、１７インチ等）によって、表示可能な視標の区画数を変えることができるものとしている。なお、ディスプレイ３の検査画面１００には、実際には図４（ｂ）に示すように、各区画１０１（１０２）に呈示される視標１０３と画面中心を固視させるための固視視標１０４が見えることとなる。
【００１１】
始めに検者は、図２に示す汎用のＰＣ１の読み出し装置２２を用いて、視機能検査プログラムが記憶されている記憶媒体から視機能検査プログラムを読み出し、このプログラムを記憶部２１に記憶させる。次に検者は、図１に示したマウス４やキーボード５を用いて、記憶部２２に記憶された視機能検査プログラムを実行させる。
視機能検査プログラムを実行すると、制御部２０はディスプレイ３に図５に示す設定画面１１０を表示させる。設定画面１１０には、用いるディスプレイのサイズを選択するサイズ選択項目１１１と、サイズ選択項目１１１の選択内容に対応して、図４（ｂ）に示した検査画面１００に表示させる視標数（区画数）を選択することのできる視標数選択項目１１２とが形成されている。サイズ選択項目１１１及び視標数選択項目１１２の選択は、画面に形成されるカーソル２００をマウス４を用いて移動させ、各項目内に形成されているラジオボタンをクリックすることにより行う。
【００１２】
本実施形態におけるサイズ選択項目１１１では、選択できるサイズを１５インチ、１７インチ、２０インチの３種類を選ぶことができるようになっている。また、視標数選択項目１１２では、１７視標（４×４区画＋中心１区画）、２５視標（５×５区画）、３７視標（６×６区画＋中心１区画）の３種類が用意されており、視標数選択項目１１２には選択したディスプレイサイズに合わせて、選択可能な視標数が適宜表示される
本実施形態では、検査距離３０ｃｍとしているため、一辺が視角１０°の視標の画面上のサイズは自ずと決定される。したがって１５インチのディスプレイでは、１７視標のみしか選ぶことができないが、１７インチの場合には１７視標と２５視標を、２０インチの場合には１７視標、２５視標、３７視標の全てから選択することができるようになっている。
【００１３】
検者は、サイズ選択項目１１１及び視標数選択項目１１２にて必要な選択を行った後、選択画面１１０に形成されている決定ボタン１１３をカーソル２００を使用して選択し、設定を終了させる。なお、キャンセルをしたい場合には、キャンセルボタン１１４を使用する。決定ボタン１１３が選択される（押される）と、制御部２０はディスプレイ３上に図示なき検査開始画面を表示させる。
検者は所定の設定を終了させた後、図１に示したスコープ部１０をディスプレイ３に接合させ、被検者に片眼にてスコープ部１０の窓１１からディスプレイ３の検査開始画面を見るように指示する。なお、被検者の非検査眼は事前に遮蔽しておく。被検者が窓１１からディスプレイ３の検査開始画面を見ていることを確認後、キーボード５のENTERキーを押して、検査を開始する。
【００１４】
キーボード５のENTERキーが押されると、制御部２０は図４（ｂ）に示すように、検査画面１００に固視標１０４を呈示させるとともに、事前に設定された視標数にて視野検査を開始する。被検者は固視標を見つづけながら、視標１０３の縞模様が見えればマウス４のボタンをクリックし、縞模様が見えなければマウス操作（ボタンクリック）を行わない。マウス４のボタンが押されると、制御部２０は視標の縞模様が見えたとして、別の区画位置に同様の視標１０３を呈示する。所定時間内にマウス４のボタンがクリックされない場合には、制御部２０は視標の縞模様が見えなかったとして、視標１０３のコントラストレベルを所定量上げて、再度同じ区画位置に視標を表示させる。被検者のマウス４操作による応答結果は、視標の呈示区画位置情報及びコントラストレベル情報とともに検査データとして記憶部２１に順次記憶される。
【００１５】
このようにして、すべての区画位置における被検者の視野検査（スクリーニング検査）が終了すると、制御部２０は記憶部２１に記憶された検査データを解析処理し、検査結果をディスプレイ３に表示する。検者はディスプレイ３からスコープ部１０を外し、ディスプレイ３に表示された検査結果を見て診断を行う。また、必要があれば、得られた検査結果をＰＣ１に接続されている図示なきプリンタから出力することもできる。
【００１６】
以上説明したように、本実施形態の視機能検査装置は、専用品を用いず、汎用のＰＣにて視機能の検査を行うことができるため、安価に提供することができるとともに、ディスプレイのサイズに合わせて視標の呈示数（言い換えると、視標の呈示範囲）を種々変更できるため、被検者の詳細な視機能情報を得ることができる。
また、本実施形態の視機能検査装置は、汎用のＰＣを用いるため、視機能検査プログラムラムの他に、さらに種々の眼科装置（例えば、眼圧計、屈折力測定装置、静的視野計、動的視野計等）で得られた測定データを一元で管理するためのプログラムや、その他の測定データ解析用のプログラム等を記憶しておき、必要な際にこれらのプログラムを実行することもできる。他の眼科装置にて得られた測定データをＰＣ１に取り込む場合には、汎用のＰＣが備える図示なき通信手段（例えばＬＡＮ接続、ＵＳＢ接続等）を用いて、他の眼科装置の測定データ（検査データ）を取り込めばよい。取り込んだ他の眼科装置の測定データは、予め同一被検者に対して同一のＩＤ番号を付与しておくことにより、各測定データ同士の関連付けを行うことができる。
このように、本実施形態の視機能検査装置は、被検者の視機能を検査するだけでなく、他の眼科装置から得られた測定データを取得して一元管理や、比較、解析等を行うことができる。
【図面の簡単な説明】
【００１７】
【図１】本実施形態における視機能検査装置の外観を示した図である。
【図２】本実施形態における視機能検査装置の制御系を示したブロック図である。
【図３】本実施形態における視標の正弦波縞模様を示した図である。
【図４】ディスプレイの画面に呈示される視標の呈示範囲及び実際の呈示状態を示した図である。
【図５】ディスプレイのサイズの選択及び呈示視標数を選択するための画面を示した図である。
【符号の説明】
【００１８】
１  パーソナルコンピュータ
２  本体
３  ディスプレイ
４  マウス
５  キーボード
１０  スコープ部
１１  窓
１２  接合手段
【図１】
2006014766.tif 000003
【図２】
2006014766.tif 000004
【図３】
2006014766.tif 000005
【図４】
2006014766.tif 000006
【図５】
2006014766.tif 000007